(57)【特許請求の範囲】
【請求項１】
遠く離れた投影面内に照射スポットの制御可能なパターンを形成するための光出力系であって：
光出力装置のアレイの中に光出力装置ピッチで配置され、各々が少なくとも1つの発光ダイオードを有している複数の個別に制御可能な光出力装置；及び
前記光出力装置ピッチよりも大きい光学素子ピッチを有する光学素子のアレイを含む、前記光出力装置のアレイと前記投影面との間に配置された光学系；
を含み、
前記光学系は、前記光出力装置のアレイによって放たれた光を、前記光学素子ピッチよりも大きい投影ピッチを有する照射スポットの投影アレイとして前記投影面に投影し、
前記光出力系は：
Ｎ（Ｐ光学素子−Ｐ光出力装置）＜Ｐ光学素子
の関係を満たし、
Ｎは、光学素子アレイの任意の方向における光学素子の最大数量であり；
Ｐ光学素子は、光学素子ピッチであり；且つ
Ｐ光出力装置は、光出力装置ピッチであり、
各光出力装置は、少なくとも異なるカラーの光を放つように構成された第１光源及び第２光源を含み、
第１光出力装置に含まれる第１光源は、該第１光出力装置に関連する光学素子との相対的位置関係において、該第１光源によって放たれる光によってもたらされるスポットが、第２光出力装置に含まれる第２光源によって放たれる光によってもたらされるスポットに重なるように配置されており、
前記光出力装置に含まれる隣り合う前記第１光源及び前記第２光源は：
【数１】
0005918541.tif 000007
という関係によって与えられる距離ΔＬＳで間隔が置かれていて、
ｎは、１、２、３、．．．の整数であり、ziは、前記光出力装置に関連する光学素子と投影面との間の光学距離であり、z0は、前記光出力装置と前記光学素子との間の光学距離であり、Ｐスポットは、投影ピッチである、
光出力系。
【請求項２】
前記光学素子は集束レンズである、請求項1に記載の光出力系。
【請求項３】
前記光学素子ピッチは、前記光出力装置ピッチよりも、１から１．２５までの倍数の分だけ大きい、請求項１又は２に記載の光出力系。
【請求項４】
請求項１乃至３のいずれか一項に記載の光出力系であり、前記光学系は、前記光学素子のアレイと前記投影面との間に配置されたビーム方向付け部材をさらに含み、該ビーム方向付け部材は、前記光学素子のアレイを前記投影面における前記照射スポットの投影アレイに向けて方向付けるように構成されている、光出力系。
【請求項５】
請求項１乃至４のいずれか一項に記載の光出力系であり、前記光学系は、前記光出力装置のアレイと前記光学素子のアレイとの間に配置されたビーム方向付け部材をさらに含み、該ビーム方向付け部材は、前記光出力装置によって放たれた光ビームを、前記投影面における前記照射スポットの投影アレイに向けて方向付けるように構成されている、光出力系。
【請求項６】
請求項４又は５に記載の光出力系であり、前記ビーム方向付け部材は、方向付ける光学素子のアレイを含み、該方向付ける光学素子の各々は、前記光出力装置のアレイにおける関連する光出力装置によって放たれた光ビームを、前記投影面における前記照射スポットの投影アレイにおいて関連するスポットに向けて方向付けるように構成されている、光出力系。
【請求項７】
前記光出力装置のアレイと前記光学系との間の相対的動作を可能にするように構成されている、請求項１乃至６のいずれか一項に記載の光出力系。
【請求項８】
前記光出力装置と前記光学系との間の距離の調節を可能にするように構成された、請求項７に記載の光出力系。
【請求項９】
前記光出力装置を分離する分割壁を含み、該分割壁は、前記光出力装置のアレイと前記光学系との間に配置されている、請求項１乃至８のいずれか一項に記載の光出力系。
【発明の詳細な説明】
【技術分野】
【０００１】
本発明は、遠く離れた投影面における照射スポットの制御可能なパターンを形成するための光出力系に関する。
【背景技術】
【０００２】
新しく改善した発光ダイオード（LED）などの新規な光源の開発における継続的進化と共に、新しい応用分野が浮上している。例えば、ユーザが制御可能な照明を使用して雰囲気を生成することを可能にする製品が開発されている。そのような製品の一例は、PhilipsからのLivingColoursランプであり、それは、直感的な遠隔制御によって、ユーザに直感的なカラーの範囲を発見する自由度を提供する。
【０００３】
追加のステップとして、ユーザが、制御可能な照射パターンを壁又は類似物において形成するなど、照明のさらなる態様を制御することを可能にすることが望まれる。
【０００４】
電子プロジェクタなどの既存の装置は、そのような制御可能なパターンを形成するのに使用することができる。しかし、そのような装置において光源によって生成される光の小さい割合‐通常5%までも小さい割合‐が、実際にはそのパターンを生成するのに使用される。
【発明の概要】
【発明が解決しようとする課題】
【０００５】
従来技術の上述の及び他の欠点を考慮して、本発明の一般的な目的は、壁または類似物において、既存の電子プロジェクタ装置よりも高い発光効率で、制御可能な光パターンの形成を可能にする改善された光出力系を提供することである。
【課題を解決するための手段】
【０００６】
それに応じて、本発明は、遠く離れた投影面において照射スポットの制御可能なパターンを形成する光出力系を提供し、その光出力系は：光出力装置ピッチで光出力装置のアレイにおいて配置された複数の個別に制御可能な光出力装置；及びその光出力装置と投影面との間に配置された光学系、を含み、その光学系は、光出力装置のアレイによって放たれる光を、その光出力装置に一対一の関係を持つ照射スポットの投影アレイとしてその投影面に投影するように構成されており、その投影アレイは、光出力装置ピッチよりも大きい投影ピッチを有する。
【０００７】
「光出力装置」という用語は、当然のことながら、本出願の背景において、可視スペクトル内の電磁放射である光を出力することが可能な装置はどれも示している。
【０００８】
アレイの「ピッチ」という用語は、そのアレイの主な方向の1つにおいて、そのアレイに含まれた隣り合った装置間の距離を呼ぶ。当業者にとって当然であるように、１次元アレイは、1つのピッチの値を有し、2次元アレイは、2つのピッチの値を有し、それらは等しいか、又は等しくなくてもよい。
【０００９】
本発明は、制御可能な光パターンは、光出力装置のアレイを使用して投影されるパターンを生成し、個別の光出力装置を壁又は類似物における対応するスポットに投影することによって、非常に高い発光効率でその壁又は類似物に投影することができ、そのスポットのアレイのピッチは、光出力装置のアレイのピッチよりも大きい。
【００１０】
照射スポットの投影アレイは、有利にも、同じ数のアレイ素子を、光出力装置のアレイとして有する。
【００１１】
光出力系を本発明に従って使用すると、その光出力装置によって出力されるほぼ全ての発光出力は、その光パターンを投影するのに使用される。これは、空間光変調器又は類似物によって変調された光に依存していた従来技術のシステムに比べて劇的に改善した光出力装置の発光効率をもたらす。
【００１２】
さらに、その光学系は、本発明によると、光出力装置のアレイ及び動作しない部品及び／又は個別の制御可能な素子を持たない光学系だけが、望まれる投影光の制御可能なパターンを達成するのに必要である。
【００１３】
光出力装置のアレイと投影面との間に配置された光学系は、有利にも、光学素子ピッチを有する光学素子のアレイを含む。
【００１４】
さらに、それらの光学素子は、集束レンズであってよい。それらの集束レンズは、有利にも、実質的に同じ集束特性を有する。
【００１５】
1つの実施形態に従って、光学素子のアレイの光学素子ピッチは、光出力装置ピッチよりも大きく、投影ピッチよりも小さい。そのような構成で、光出力装置ピッチよりも大きい投影ピッチを有する照射スポットの投影アレイは、如何なる追加の光学配置の補助も無く達成することができる。
【００１６】
投影表面と光学素子との間の距離は、通常、光出力装置と光学素子との間の距離よりもかなり大きいことから、その光学素子ピッチは、有利にも、光出力装置ピッチよりも1から1.25までの倍数の分だけ大きくてよく、さらに有利に、1.05から1.18までの倍数の分だけ大きくてよい。言い換えると、その光学素子ピッチは、以下の関係に従って光出力装置ピッチに関連してよい：
P光学素子＝αP光出力装置
であって、P光学素子は、光学素子ピッチであり；P光出力装置は、光出力装置ピッチであり、αは上述の倍数である。
【００１７】
光出力装置のアレイにおける各光出力装置による光出力は、光学素子アレイにおいて、それに関連する光学素子によって投影されることを保証するために、その光学素子アレイにおける光学素子の数は、有利にも以下の関係を満たす：
N(P光学素子−P光出力装置)＜P光学素子
であって：
Nは、光学素子アレイの任意の方向における光学素子の最大数量であり；
P光学素子は、光学素子ピッチであり；且つ
P光出力装置は、光出力装置ピッチである。
【００１８】
さらに、各光出力装置は、異なるカラーの光を放つように構成された、少なくとも第1光源及び第2光源を含んでもよい。これは、カラーのパターンの投影を可能にする。
【００１９】
有利にも、第1光出力装置に含まれる第1光源は、その第1光源によって放たれる光が、第2光出力装置に含まれる第2光源に関連するスポットとして投影されるような方法で、その第1光出力装置に関連する光学素子に関して配置されてもよい。第2光出力装置は、第1光出力装置の隣に位置してよく、又は、第1及び第2光出力装置は、1つ又は数個の他の光出力装置によって間隔が置かれてもよい。
【００２０】
この光出力装置の構成は、異なる光出力装置に含まれる光源による光出力を混合することによって、投影されるスポットのカラーを制御することを可能にする。
【００２１】
さらに、所定の光出力装置に含まれる第1及び第2の隣り合う光源は、以下の関係によって与えられる距離ΔLSによって間隔が置かれてもよい：
【００２２】
【数１】
0005918541.tif 000002
において、nは、1、2、3、．．．の整数であり、ziは、光出力装置に関連する光学素子と投影面との間の光学距離であり、z0は、その光出力装置と光学素子との間の光学距離であり、Pスポットは、投影ピッチである。当業者に良く知られているように、その「光学距離」は、その物理的距離に光が進む媒体の屈折率を乗じたものである。
【００２３】
ここで、異なるカラーのサブスポット間における実質的に完全な重なり合いを達成することができ、それによって、カラー・フリンジなどのアーチファクトを避けることができる。
【００２４】
さらなる実施形態に従って、その光学系は、光学素子のアレイとお投影面との間に配置されたビーム方向付け部材をさらに含み、そのビーム方向付け部材は、光学素子のアレイから出る光ビームを、投影面における照射スポットの投影されたアレイに向けるように構成されている。
【００２５】
光学素子のアレイと投影面との間に配置されたビーム方向付け部材で、光学素子ピッチと出力素子ピッチとの間の相違をより小さくすることができ（光学素子ピッチ及び出力素子ピッチは等しくさえなり得る）、それによって、光学素子（光出力装置）のより大きいアレイを適合することができ、それは、より高い分解能及び／又は所定の距離でのより大きい投影パターンの形成を可能にする。
【００２６】
ビーム方向付け部材は、方向付ける光学素子のアレイを含み、その光学素子の各々は、光学素子のアレイにおいて関連する光学素子から出る光ビームを、投影面における照射スポットの投影アレイにおいて関連するスポットに向けて方向付けるように構成されている。
【００２７】
その代わりに又は上記の光学素子のアレイと投影面との間に配置されたビーム方向付け部材と組み合わせて、本発明の様々な実施形態による光出力系は、光出力装置のアレイと光学素子のアレイとの間に配置されたビーム方向付け部材を含んでもよい。このビーム方向付け部材は、上記に記載されたものに似て、方向付ける光学素子のアレイを含んでもよい。
【００２８】
さらに、光出力装置は、有利にも、光出力装置のアレイと光学系との間の相対的動作を可能にするように構成されていてよい。この実施形態に従って、光出力装置のアレイ及び光学系のうち1つ又は両方の位置が調節可能であってよい。これによって、ユーザが、投影スポットの構成を、光出力系の適用の位置での状態に従って調節することができる。
【００２９】
例えば、光出力系は、光出力装置のアレイと光学系との間の距離の調節を可能にするように構成されていてよい。これによって、その光出力系は、異なる距離に対して、そのパターンが投影されるべき表面及び／またはその表面上の隣り合うスポット間で望まれる異なる重なり合いに適合することができる。
【００３０】
さらに、光出力装置のアレイと光学系との間のアライメントが調節可能であってよく、つまり、その光出力装置のアレイ及び光学系のうち何れか一方又は両方が、横方向において動作可能であってよい。それによって、ユーザは、その光出力系が動かない間に、照射スポットの投影パターンの位置を調節することができる。
【００３１】
また、その光出力系は、光出力装置を分離している分割壁を有してもよく、それらの分割壁は、光出力装置のアレイと光学系との間に配置される。これによって、所定の光出力装置による光出力の方向は、その光出力装置に関連していない光学素子によって改良されることを防止することができる。
【００３２】
本発明のこれら及び他の態様が、ここで、本発明の現時点で望ましい実施形態を示す添付の図表を参照して、さらに詳しく記載される。
【図面の簡単な説明】
【００３３】
【図１】壁に光パターンを投影する模範的な光出力系を概略的に示す図である。
【図２】図1における光出力系の一部分の1つの可能な構成を描いた概略図である。
【図３】ラインA-A’に沿って図2における部分的な光出力系の簡略化した図であり、その光出力系の形状を描く断面図である。
【図４】ラインA-A’に沿って図2における部分的な光出力系の一部分であり、異なるカラーのスポットがどのように形成されるかを描く断面図である。
【図５】図1における光出力系の一部分の概略図であり、そのもう１つの可能な構成を描く図である。
【図６】図1における光出力系の一部分の概略図であり、さらにもう１つの可能な構成を描く、光学素子アレイと投影面との間に配置されたビーム方向付け部材を含んだ図である。
【図７】ラインB-B’に沿った図6における部分的な光出力系の断面図である。
【発明を実施するための形態】
【００３４】
以下の記載において、本発明は、光出力系を参照して主に記載され、その光出力系は、複数の異なるカラーの発光ダイオード（LED）、及び従来型の凸型レンズのアレイを含む。
【実施例】
【００３５】
これは、本発明の範囲を決して限定しているものではなく、それは、他の種の光出力装置及びフレネルレンズなどの他の光学素子も含む光出力系に均等に適用可能であることに注目すべきである。
【００３６】
図1は、パターン2を、投影面を表わす遠く離れた壁3に投影する模範的な光出力系1を概略的に描く分解図である。図1を参照すると、その光出力系1は、個別に制御可能な光出力装置6a-c（これらのうち3つだけが、明確化のため参照記号を使用して示されている）のアレイ5及び光出力装置6a-cと投影面3との間に配置された光学素子9a-cのアレイを含む光学系7を有する。
【００３７】
さらに、図1に概略的に説明されているように、光出力装置6a-cのアレイ5による光出力は、照射スポット11a-cの投影アレイ10として投影される。光出力装置6a-cのアレイ5のピッチPLS（隣り合う光出力装置間の距離）は、図1で見ることが出来るように、投影面3における照射スポット11a-cのピッチPスポットよりもかなり小さい。光出力装置ピッチPLSから照射スポット11a-cのピッチPスポットまでの並進は、光出力装置6a-cのアレイ5と投影面3との間に配置された光学系7によってなされ、それは、図1における光出力系の多数の例示的な実施形態を参照して以下にさらに記載される。
【００３８】
図1に示される基本的な構成を有する光出力系の第1実施形態は、ここで、図2を参照して記載される。
【００３９】
図2は、図1における投影面3から見られた光出力系1の平面図であり、光出力装置6a-cは、光学素子9a-cを通して見ることができる。この特定の実施形態において、各光出力装置6a-cは、青いLED12a、13a、14a、赤いLED12b、13b、14b、及び緑のLED12c、13c、14cを含み、光学素子9a-cは、光出力装置ピッチPLSよりも大きいピッチPレンズで配置されたレンズの形で備えられる。図2において示された実施形態は、カラーの制御が可能な実施形態であるが、光出力装置ピッチPLSから図1における照射スポットのピッチPスポットまでの並進の原理は、第1に、図3において概略的に描かれた単純なモノクロ（monochrome）の場合を参照して記載され、それは、赤いLED12b、13b、14bだけを持つ図2の構成に対応する。
【００４０】
図3を参照して、光出力系1の現在の実施形態に幾何学的特性間の関係がここで記載される。図3に概略的に描かれた実施形態において、光学素子9b-cは、光源6b-cからの光学距離zoで配置され、投影面3は、光学素子9b-cからの光学距離ziに位置する。図3に示されるように、各光源6b-cは、光源6b-cによって放たれる光をいくらか平行にするように、平行光学系15b-cを備えていてよい。これは、光源6b-cによって放たれる光のほぼ全てが対応するレンズ9b-cによって捕らえられることを保証するためになされる。
【００４１】
ここで、図3に概略的に示される実施形態において、光源ピッチPLSから投影面3における照射スポットのピッチPスポットまでの並進は、該光学系の形状を適切に選択することによって達成され、つまり、所定の光源ピッチPLSに対して、光源6b-cとレンズ9b-cとの間の距離z0及びレンズ・アレイ8におけるレンズ9b-cのピッチPレンズを適切に選択することによって達成される。
【００４２】
特に、現在、示されている実施形態によると、その光学系の構成は、以下の関係を満たすべきである：
【００４３】
【数２】
0005918541.tif 000003
実際にはPスポット>>Pレンズであることから、数式（1）は、PLSがPレンズよりも小さいことを示す。望ましくは、0.8Pレンズ<PLS<Pレンズである。さらに望ましくは、0.85Pレンズ<PLS<0.95Pレンズである。
【００４４】
壁に投影されたスポットのサイズ、dスポットは、通常、その光学系の拡大係数に光源6a-b（プラス、該当する場合は、コリメータ15b-c）の寸法を乗じたものであるdLSに等しく：
【００４５】
【数３】
0005918541.tif 000004
投影面3に投影されているパターン2（図1）における強度及びカラーの滑らかな推移を保証するために、隣り合うドット11a-c（図1）の間における一定の重なり合いが望ましい。この重なり合いは、以下の関係から得られる：
【００４６】
【数４】
0005918541.tif 000005
重なりO>25%は、望まれる滑らかな推移をもたらすことが分かっている。さらに、隣り合うドット11a-cを識別する能力を維持するために（壁3に投影された光パターン2の解像度の損失を防ぐ）、その重なりは、有利に、O<75%である上限を有してよい。
【００４７】
注目すべきは、余分な重なりが、レンズの平面に近いディフューザー（弱い又は微細なピッチのレンズのアレイ）など追加の光学素子（図3に示されていない）を位置付けることによって生成することができることである。
【００４８】
光出力装置6a-cのピッチPLSと投影面3に投影されたスポット11a-cのピッチPスポットとの間の望まれる並進が達成され得る光出力系1の1つの模範的な実施形態の形状を説明したことで、これから、図3の構成がどのようにカラーの付いた投影パターの形成を可能にするように改良できるかに関する説明に移る。
【００４９】
図4は、ラインA-A’に沿って図2における部分的な光出力系の断面図であり、異なるカラーのスポットがどのように図1の光出力系を使用して形成できるかを説明している。
【００５０】
カラーの付いた照射スポット11a-cを持つ高質なパターンを達成するためには、基本的なカラーのスポットが、投影面3において、実質的に完全に重なり合うように投影されることを保証するのが望ましい。この方法において、自由に制御可能なカラーのスポットが、実際上カラー・フリンジなどのアーチファクト無しに形成され得る。
【００５１】
図4を参照すると、その光出力形が3つの原色、赤（＝R）、緑（＝G）及び青（＝B）に基づいた模範的な実施形態が記載されている。各レンズ11a-cの背後に（投影面3から見たように）、RGB-LED12a-c、13a-c、14a-cのトリプレット（triplet）が位置している。これらのトリプレットの各LEDから放たれる光は、図4において青いLED12a、赤いLED13b及び緑のLED14cに対して概略的に示されるように、壁3において光のスポットをもたらす。結果としてもたらされるスポット11bは、白く見える。
【００５２】
異なる光出力装置6a-c（本文献ではLEDトリプレット）に含まれる異なる光源によってもたらされる照射スポットが重なり合うことを保証するために、その光出力装置6a-cに含まれる光源の間において適切な間隔が選択されるべきである。
【００５３】
図4における模範的な実施形態を参照すると、ある一定のカラーの各LEDは、壁において、LED12a-c、13a-c、14a-cを各トリプレット6a-c内において適切な間隔で配置することによって、他のトリプレットの補色のLEDの光と完全に重なるスポットをもたらすことを保証することができる。この間隔距離は、以下の関係から得られる：
【００５４】
【数５】
0005918541.tif 000006
この関係において、nは、光出力装置6a-cにおける隣り合っている光源による光出力の投影からもたらされるスポット間のスポットピッチPスポットの単位で距離を示す整数である。有利にも、間隔距離ΔLSが、上記の関係においてn=1であるように選択される。異なるカラーの光源をそれほど近づけて位置付けることが可能でない場合、n=2又はn=3を選択することができる。
【００５５】
異なるカラーの光源12a-c、13a-c、14a-cは、別々の装置として備えられてよく、1つに同じハウジングにおいて一緒にパッケージされてよいことに注目すべきである。
【００５６】
図2に示される光出力装置の6角形の配置の代替として、光出力装置6a-cは、図5に概略的に示されているように、長方形の構成で配置されてもよい。
【００５７】
図5における構成は、また、各光出力装置6a-cが、4つの光源12a-d、13a-d、14a-dを含む点で上記に図2を参照して記載されたものとは異なり、4番目の光源は、改善された照射を達成するために白色光を放つように構成されている。
【００５８】
図2に示された実施形態の場合においても該当したように、光学素子9a-cのピッチは、水平方向及び垂直方向に両方において、光出力装置6a-cのピッチよりも大きい。
【００５９】
次に、図6及び7を参照し、図1の光出力系の様々な実施形態において使用出来るさらに可能な構成を考察する。
【００６０】
これまでに考察した様々な実施形態に従って、光出力装置ピッチPLSから投影面3に投影された照射スポット11a-cのピッチPスポットまでの並進は、光出力装置6a-cのアレイ5と投影面3との間に配置されたレンズのアレイの適切なピッチPレンズを選択することによって達成されてきている。
【００６１】
代替形又は補足として、光出力系1は、光学素子9a-cのアレイと投影面3との間に配置されたビーム方向付け部材を備え、投影面3において望ましいピッチPスポットを持つ照射スポット11a-cを生成するように光学素子9a-cを通り抜けている光ビームを方向付けてもよい。
【００６２】
例えば、図6において概略的に示されるように、光学素子9a-cのピッチPレンズは、光出力装置6a-cのピッチPLSと同じであるように選択することが出来、ビーム方向付け部材は、PLSからPスポットまでの実質的に全ての並進を達成するように光学素子9a-cと投影面3との間に配置することができる。
【００６３】
当業者にとって当然のことながら、そのビーム方向付け部材によってもたらされるビーム偏向の大きさ及び方向は、そのアレイにおける位置に依存し、そのビーム方向付け部材は、図6に示される場合において、光出力系1の外側からの光線をそのビーム方向付け部材及び光学素子9a-cのアレイの中を通って光出力装置6a-cへ向けて戻ってトレースする（tracing）とき、光出力装置6a-cは、数式（1）によって与えられたピッチPLSで間隔が置かれているように見える。
【００６４】
図6の模範的な実施形態において概略的に示される単純なビーム方向付け部材の１つの例は、プリズム17a-iの微細ピッチを持つ1次元アレイに基づいている。そのビーム方向付け部材は、複数の光学素子を含むか、又は例えば、大型の凹型レンズ、望ましくはフレネルレンズであってよい、1つの全体的に大型のビーム方向付け部材として備えられてもよい。
【００６５】
ラインB-B’に沿った図6の部分的な光出力系の断面図である図7において、偏向後の原理が、モノクロ光出力装置6a-bを用いた単純化した場合に関して概略的に示されている。図7における構成を通して、同じスポットピッチPスポットが、図3のように同じ光学素子ピッチPレンズに対して達成される。
【００６６】
最後に、本発明に従って、カラー制御が可能な光出力系1の実施形態において、境界線効果を防ぐために様々な測定がされてもよいことに注目すべきである。1つのアプローチに従って、壁におけるそのスポット位置に対するカラーのフルスペクトルを供給するのに必要な他のカラーで補足することが出来ない光出力装置のアレイ5の端に近い光源は、発光しないように制御されてもよく、あるいは、光出力系1から除外してもよい。
【００６７】
当業者は、本発明は、望ましい実施形態に決して限定されていないことを実感するであろう。例えば、分割壁（吸収）が、特定の光出力装置によって放たれる光が対応するレンズの中だけを進み、隣のレンズの中は通らないことを保証するように、隣り合う光出力装置6a-cの間に配置されてもよい。さらに、壁にパターンを斜角から投影したい場合、光出力系の近くに投影されたスポットに対して、光出力装置と光学素子との間において平均よりも小さい距離を有し、その光出力系から遠くに投影されたスポットに対して、光出力装置と光学素子との間において、平均よりも大きい距離を有しているのが有利であるかもしれない。さらに、強いが（高い倍率）軽量のフレネルタイプのレンズが、それらの光学素子として有利に使用されてもよい。それに加えて、その光出力系に含まれる光学素子のいくつか又は全ては、有利にも、例えば、液晶又はエレクトロ・ウェッティングに基づいて電気的に調節可能なアクティブ光学素子であってもよい。例えば、アクティブディフューザーを使用することによって、壁における光のスポットの重なりを調整することが可能である。アクティブ・ポストディフューザー（post-deflector）を使用することによって壁における光のスポットのパターンのサイズを調整することが可能である。
【図１】
0005918541.tif 000008
【図２】
0005918541.tif 000009
【図３】
0005918541.tif 000010
【図４】
0005918541.tif 000011
【図５】
0005918541.tif 000012
【図６】
0005918541.tif 000013
【図７】
0005918541.tif 000014